(57)【要約】【課題】最も伝送特性がよい伝送路を選択して通信を行なうことが可能な送信装置、受信装置、それらを含んだ送受信システムおよびそのデータ伝送方法を提供すること。【解決手段】送信側通信装置１は、上流ネットワークを介して受信した同じ内容のデータを複数の伝送路３１〜３４を介して受信側通信装置２に送信する。受信側通信装置２は、複数の伝送路３１〜３４を介して受信した同じ内容のデータの伝送特性に応じて、複数の伝送路の中からデータを受信する伝送路を選択し、選択された伝送路を介して受信したデータを下流ネットワークに送信する。したがって、複数の伝送路３１〜３４の中で最も伝送特性がよい伝送路を選択して通信を行なうことが可能となる。【選択図】図１
2008042314.tif 000002
【特許請求の範囲】
【請求項１】
複数の伝送路を介して通信を行なう送信装置および受信装置を含んだ送受信システムであって、
前記送信装置は、データを受信する第１の受信手段と、
前記第１の受信手段によって受信された同じ内容のデータを前記複数の伝送路を介して前記受信装置に送信する第１の送信手段とを含み、
前記受信装置は、前記複数の伝送路を介して前記送信装置から同じ内容のデータを受信する第２の受信手段と、
前記第２の受信手段によって受信されたデータの伝送特性に応じて、前記複数の伝送路の中からデータを受信する伝送路を選択する選択手段とを含む、送受信システム。
【請求項２】
前記第１の送信手段は、前記選択手段によって選択された伝送路のみを用いて、前記第１の受信手段によって受信されたデータを送信し、所定期間経過後に再度前記第１の受信手段によって受信された同じ内容のデータを前記複数の伝送路を介して送信する、請求項１記載の送受信システム。
【請求項３】
前記受信装置はさらに、前記選択手段によって選択された伝送路を用いて前記送信装置にデータを送信する第２の送信手段を含み、
前記送信装置はさらに、前記第２の送信手段から送信されたデータを受信する第３の受信手段を含む、請求項１または２記載の送受信システム。
【請求項４】
前記選択手段は、前記第２の受信手段によって受信されたデータの受信速度に応じて、前記複数の伝送路の中からデータを受信する伝送路を選択する、請求項１〜３のいずれかに記載の送受信システム。
【請求項５】
前記選択手段は、前記第２の受信手段によって受信されたデータのエラー率に応じて、前記複数の伝送路の中からデータを受信する伝送路を選択する、請求項１〜３のいずれかに記載の送受信システム。
【請求項６】
前記複数の伝送路は、無線による伝送路および有線による伝送路を含み、
前記選択手段は、前記第２の受信手段によって受信されたデータの受信速度およびエラー率に応じて、前記無線による伝送路および有線による伝送路のいずれかを選択する、請求項１〜３のいずれかに記載の送受信システム。
【請求項７】
複数の伝送路を介して受信装置にデータを送信する送信装置であって、
データを受信する受信手段と、
前記受信手段によって受信された同じ内容のデータを前記複数の伝送路を介して前記受信装置に送信する送信手段とを含む、送信装置。
【請求項８】
複数の伝送路を介して送信装置からデータを受信する受信装置であって、
前記複数の伝送路を介して前記送信装置から同じ内容のデータを受信する受信手段と、
前記受信手段によって受信されたデータの伝送特性に応じて、前記複数の伝送路の中からデータを受信する伝送路を選択する選択手段とを含む、受信装置。
【請求項９】
複数の伝送路を介して通信を行なう送信装置および受信装置を含んだ送受信システムにおけるデータ伝送方法であって、
前記送信装置が、データを受信するステップと、
前記送信装置が、受信した同じ内容のデータを前記複数の伝送路を介して前記受信装置に送信するステップと、
前記受信装置が、前記複数の伝送路を介して前記送信装置から同じ内容のデータを受信するステップと、
前記受信装置が、受信したデータの伝送特性に応じて、前記複数の伝送路の中からデータを受信する伝送路を選択するステップとを含む、データ伝送方法。
【発明の詳細な説明】
【技術分野】
【０００１】
本発明は、宅内ネットワークにおける通信技術に関し、特に、複数の伝送路の中から最適な伝送路を選択して通信を行なう送信装置、受信装置、それらを含んだ送受信システムおよびそのデータ伝送方法に関する。
【背景技術】
【０００２】
近年、インターネットが広く普及し、宅内ネットワークの伝送路として様々なものが使用されるようになってきている。たとえば、ＩＥＥＥ（The Institute of Electrical and Electronics Engineers, Inc.）８０２．１１ｂ／８０２．１１ｇ／８０２．１１ａ等に規定される無線ＬＡＮ（Local Area Network）、Ｂｌｕｅｔｏｏｔｈなどの無線による伝送路や、同軸線、電話線、電力線などの有線による伝送路がある。これら複数の伝送路を用いた通信技術として、下記の特許文献１および特許文献２に開示された発明がある。
【０００３】
特許文献１に開示された通信システムは、単位時間あたりのデータ送信量が基準量に達していない場合は１つの伝送路を使用し、基準量に達している場合は複数の伝送路を使用してデータを送信するものである。
【０００４】
特許文献２に開示された情報処理装置は、通信先の装置に備えられた複数の通信手段のうちの通信可能な通信手段をこの通信手段を介して検出し、その通信可能な通信手段の各々の通信速度を対応する通信手段を介して検出し、この検出結果に基づいて通信手段の中から通信先の装置との通信に使用すべき通信手段を選択するものである。
【特許文献１】特開２００４−６４５６８号公報
【特許文献２】特開２００３−８６８１号公報
【発明の開示】
【発明が解決しようとする課題】
【０００５】
無線ＬＡＮ、Ｂｌｕｅｔｏｏｔｈなどの無線を用いた通信機器は、伝送路の品質が外来波や障害物の影響で時々刻々と変化し、回線状態が悪くなったり、通信が一時途切れたりすることがある。
【０００６】
また、電力線を用いた通信機器は、電力線を共有する電気製品のスイッチのオン／オフ、電気製品のインピーダンスなどによって伝送路の状態が悪化して、安定した通信を提供することができないことがある。
【０００７】
また、ＣＡＴＶ（ケーブルテレビ）などの同軸線を用いた通信機器は、分配器接続による信号の損失、インピーダンスの不整合などによって通信状態が悪化して、通信ができなくなる経路が発生することがある。
【０００８】
さらには、電話線を用いた通信機器は、電話線の分岐により回線状態が悪化して、安定した通信を提供することができないことがある。
【０００９】
このように、各伝送路は特有の問題を抱えており、通信が断絶することなく、安定して通信が行なえる宅内ネットワークを提供することが困難であるといった問題点があった。また、宅内ネットワークにおいて使用できる伝送路の中で最も通信速度が速い伝送路で通信を行なうことが望ましい。これらの問題は、上述した特許文献１および特許文献２に開示された発明を用いたとしても解決することができない。
【００１０】
本発明は、上記問題点を解決するためになされたものであり、その目的は、最も伝送特性がよい伝送路を選択して通信を行なうことが可能な送信装置、受信装置、それらを含んだ送受信システムおよびそのデータ伝送方法を提供することである。
【課題を解決するための手段】
【００１１】
本発明のある局面に従えば、複数の伝送路を介して通信を行なう送信装置および受信装置を含んだ送受信システムであって、送信装置は、データを受信する第１の受信手段と、第１の受信手段によって受信された同じ内容のデータを複数の伝送路を介して受信装置に送信する第１の送信手段とを含み、受信装置は、複数の伝送路を介して送信装置から同じ内容のデータを受信する第２の受信手段と、第２の受信手段によって受信されたデータの伝送特性に応じて、複数の伝送路の中からデータを受信する伝送路を選択する選択手段とを含む。
【００１２】
好ましくは、第１の送信手段は、選択手段によって選択された伝送路のみを用いて、第１の受信手段によって受信されたデータを送信し、所定期間経過後に再度第１の受信手段によって受信された同じ内容のデータを複数の伝送路を介して送信する。
【００１３】
好ましくは、受信装置はさらに、選択手段によって選択された伝送路を用いて送信装置にデータを送信する第２の送信手段を含み、送信装置はさらに、第２の送信手段から送信されたデータを受信する第３の受信手段を含む。
【００１４】
好ましくは、選択手段は、第２の受信手段によって受信されたデータの受信速度に応じて、複数の伝送路の中からデータを受信する伝送路を選択する。
【００１５】
好ましくは、選択手段は、第２の受信手段によって受信されたデータのエラー率に応じて、複数の伝送路の中からデータを受信する伝送路を選択する。
【００１６】
好ましくは、複数の伝送路は、無線による伝送路および有線による伝送路を含み、選択手段は、第２の受信手段によって受信されたデータの受信速度およびエラー率に応じて、無線による伝送路および有線による伝送路のいずれかを選択する。
【００１７】
本発明の別の局面に従えば、複数の伝送路を介して受信装置にデータを送信する送信装置であって、データを受信する受信手段と、受信手段によって受信された同じ内容のデータを複数の伝送路を介して受信装置に送信する送信手段とを含む。
【００１８】
本発明のさらに別の局面に従えば、複数の伝送路を介して送信装置からデータを受信する受信装置であって、複数の伝送路を介して送信装置から同じ内容のデータを受信する受信手段と、受信手段によって受信されたデータの伝送特性に応じて、複数の伝送路の中からデータを受信する伝送路を選択する選択手段とを含む。
【００１９】
本発明のさらに別の局面に従えば、複数の伝送路を介して通信を行なう送信装置および受信装置を含んだ送受信システムにおけるデータ伝送方法であって、送信装置が、データを受信するステップと、送信装置が、受信した同じ内容のデータを複数の伝送路を介して受信装置に送信するステップと、受信装置が、複数の伝送路を介して送信装置から同じ内容のデータを受信するステップと、受信装置が、受信したデータの伝送特性に応じて、複数の伝送路の中からデータを受信する伝送路を選択するステップとを含む。
【発明の効果】
【００２０】
本発明のある局面によれば、選択手段が、第２の受信手段によって受信されたデータの伝送特性に応じて、複数の伝送路の中からデータを受信する伝送路を選択するので、複数の伝送路の中で最も伝送特性がよい伝送路を選択して通信を行なうことが可能となる。
【００２１】
また、第１の送信手段が、選択手段によって選択された伝送路のみを用いて、第１の受信手段によって受信されたデータを送信し、所定期間経過後に再度第１の受信手段によって受信された同じ内容のデータを複数の伝送路を介して送信するので、最も伝送特性がよい伝送路のみを用いて通信を行なうことができ、消費電力を削減することが可能となる。
【００２２】
また、受信装置はさらに、選択手段によって選択された伝送路を用いて送信装置にデータを送信する第２の送信手段を含むので、同じ伝送路を用いて送受信を行なうことが可能となる。
【００２３】
また、選択手段が、第２の受信手段によって受信されたデータの受信速度に応じて、複数の伝送路の中からデータを受信する伝送路を選択するので、複数の伝送路の中で最も受信速度が速い伝送路を選択して通信を行なうことが可能となる。
【００２４】
また、選択手段が、第２の受信手段によって受信されたデータのエラー率に応じて、複数の伝送路の中からデータを受信する伝送路を選択するので、複数の伝送路の中で最もエラー率が低い伝送路を選択して通信を行なうことが可能となる。
【００２５】
また、選択手段が、第２の受信手段によって受信されたデータの受信速度およびエラー率に応じて、無線による伝送路および有線による伝送路のいずれかを選択するので、外来波や障害物の影響で無線による伝送路のエラー率が高くなった場合に、受信速度に応じて伝送路を選択することが可能となる。
【発明を実施するための最良の形態】
【００２６】
図１は、本発明の実施の形態における送受信システムの概略構成を示すブロック図である。この送受信システムは、上流ネットワークに接続される第１の通信装置１と、下流ネットワークに接続される第２の通信装置２とを含む。
【００２７】
第１の通信装置１は、上流ネットワーク（ＷＡＮ（Wide Area Network）側）を介してデータを送受信する機能、および後述する４つの伝送路３１〜３４を介して第２の通信装置２との間でデータを送受信する機能を有している。また、第２の通信装置２は、４つの伝送路３１〜３４を介して第１の通信装置１との間でデータを送受信する機能、および下流ネットワークを介してコンピュータなどの端末装置との間でデータを送受信する機能を有している。
【００２８】
本実施の形態においては、第１の通信装置１が上流ネットワークを介して受信したデータを第２の通信装置２に送信し、第２の通信装置２が第１の通信装置１から受信したデータを下流ネットワークを介して端末装置に送信する場合について説明する。そのため、第１の通信装置１を送信側通信装置と呼び、第２の通信装置２を受信側通信装置と呼ぶことにする。
【００２９】
なお、第２の通信装置２が下流ネットワークを介して受信したデータを第１の通信装置１に送信し、第１の通信装置１が第２の通信装置２から受信したデータを上流ネットワークを介して送信する場合も同様の処理が行なわれる。
【００３０】
送信側通信装置１は、４つのＤＳＰ（Digital Signal Processor）１１−１〜１１−４と、４つの伝送路３１〜３４のそれぞれに接続されるアナログ回路１２−１〜１２−４と、送信側通信装置１の全体的な制御を行なうＣＰＵ（Central Processing Unit）１３と、マルチプレクサ／デマルチプレクサ（ＭＵＸ／ＤＥＭＵＸ）１４と、上流ネットワークに接続されるネットワーク・インタフェース（ＮＩ）１５とを含む。
【００３１】
ＤＳＰ１１−１は、無線ＬＡＮ、Ｂｌｕｅｔｏｏｔｈなどの無線（伝送路３１）によって受信側通信装置２と通信する機能を有しており、ＭＵＸ／ＤＥＭＵＸ１４から受けた入力データをエンコードした後、直交周波数分割多重方式、直接スペクトラム拡散方式などの変調方式で変調する。そして、パラレルデータをシリアルデータに変換した後、アナログ信号に変換してアナログ回路１２−１に出力する。
【００３２】
また、ＤＳＰ１１−１は、アナログ回路１２−１から受けたアナログ信号をデジタル信号に変換した後、シリアルデータをパラレルデータに変換する。そして、パラレルデータを上記変調方式に対応する復調方式で復調した後、デコードしてＭＵＸ／ＤＥＭＵＸ１４に出力データとして出力する。
【００３３】
ＤＳＰ１１−２は、ＣＡＴＶなどの同軸線（伝送路３２）を介して受信側通信装置２と通信する機能を有しており、ＭＵＸ／ＤＥＭＵＸ１４から受けた入力データをエンコードした後、６４ＱＡＭ（Quadrature Amplitude Modulation）方式、ＱＰＳＫ（Quadrature Phase Shift Keying）方式などの変調方式で変調する。そして、パラレルデータをシリアルデータに変換した後、アナログ信号に変換してアナログ回路１２−２に出力する。
【００３４】
また、ＤＳＰ１１−２は、アナログ回路１２−２から受けたアナログ信号をデジタル信号に変換した後、シリアルデータをパラレルデータに変換する。そして、パラレルデータを上記変調方式に対応する復調方式で復調した後、デコードしてＭＵＸ／ＤＥＭＵＸ１４に出力データとして出力する。
【００３５】
ＤＳＰ１１−３は、電話線（伝送路３３）を介して受信側通信装置２と通信する機能を有しており、ＭＵＸ／ＤＥＭＵＸ１４から受けた入力データをエンコードして変調する。そして、パラレルデータをシリアルデータに変換した後、アナログ信号に変換してアナログ回路１２−３に出力する。
【００３６】
また、ＤＳＰ１１−３は、アナログ回路１２−３から受けたアナログ信号をデジタル信号に変換した後、シリアルデータをパラレルデータに変換する。そして、パラレルデータを復調した後、デコードしてＭＵＸ／ＤＥＭＵＸ１４に出力データとして出力する。
【００３７】
ＤＳＰ１１−４は、電力線（伝送路３４）を介して受信側通信装置２と通信する機能を有しており、ＭＵＸ／ＤＥＭＵＸ１４から受けた入力データをエンコードした後、直交周波数分割多重方式などの変調方式で変調する。そして、パラレルデータをシリアルデータに変換した後、アナログ信号に変換してアナログ回路１２−４に出力する。
【００３８】
また、ＤＳＰ１１−４は、アナログ回路１２−４から受けたアナログ信号をデジタル信号に変換した後、シリアルデータをパラレルデータに変換する。そして、パラレルデータを上記変調方式に対応する復調方式で復調した後、デコードしてＭＵＸ／ＤＥＭＵＸ１４に出力データとして出力する。
【００３９】
アナログ回路１２−１〜１２−４は、ＤＳＰ１１−１〜１１−４から受けたアナログ信号を所定のレベルに増幅して伝送路３１〜３４に出力する。また、アナログ回路１２−１〜１２−４は、伝送路３１〜３４を介して入力したアナログ信号を所定のレベルに調整してＤＳＰ１１−１〜１１−４に出力する。
【００４０】
ＣＰＵ１３は、受信速度が最も速い伝送路、またはエラー率の最も低い伝送路からのデータを選択してＮＩ１５に出力するようにＭＵＸ／ＤＥＭＵＸ１４を制御する。
【００４１】
ＭＵＸ／ＤＥＭＵＸ１４は、ＣＰＵ１３の制御によってＤＰＳ１１−１〜１１−４から受けたデータのいずれかを選択してＮＩ１５に出力する。また、ＭＵＸ／ＤＥＭＵＸ１４は、ＮＩ１５から受けたデータをＤＳＰ１１−１〜１１−４のぞれぞれに出力する。
【００４２】
ＮＩ１５は、上流ネットワークを介して受信したデータをＭＵＸ／ＤＥＭＵＸ１４に出力する。また、ＮＩ１５は、ＭＵＸ／ＤＥＭＵＸ１４から受けたデータを上流ネットワークを介して送信する。
【００４３】
受信側通信装置２は、４つのＤＳＰ２１−１〜２１−４と、４つの伝送路３１〜３４のそれぞれに接続されるアナログ回路２２−１〜２２−４と、受信側通信装置２の全体的な制御を行なうＣＰＵ２３と、ＭＵＸ／ＤＥＭＵＸ２４と、下流ネットワークに接続されるＮＩ２５とを含む。
【００４４】
ＤＳＰ２１−１〜２１−４は、送信側通信装置１内のＤＳＰ１１−１〜１１−４と同様の機能を有している。また、アナログ回路２２−１〜２２−４は、送信側通信装置１内のアナログ回路１２−１〜１２−４と同様の機能を有している。
【００４５】
ＣＰＵ２３は、ＤＳＰ２１−１〜２１−４のそれぞれから受信速度、エラー率などの情報を受け、受信速度が最も速い伝送路、またはエラー率の最も低い伝送路からのデータを選択してＮＩ２５に出力するようにＭＵＸ／ＤＥＭＵＸ２４を制御する。
【００４６】
ＭＵＸ／ＤＥＭＵＸ２４は、ＣＰＵ２３の制御によってＤＰＳ２１−１〜２１−４から受けたデータのいずれかを選択してＮＩ２５に出力する。また、ＭＵＸ／ＤＥＭＵＸ２４は、ＮＩ２５から受けたデータをＤＳＰ２１−１〜２１−４のぞれぞれに出力する。
【００４７】
ＮＩ２５は、下流ネットワークを介して受信したデータをＭＵＸ／ＤＥＭＵＸ２４に出力する。また、ＮＩ２５は、ＭＵＸ／ＤＥＭＵＸ２４から受けたデータを下流ネットワークを介して送信する。
【００４８】
図２は、本発明の実施の形態における受信側通信装置２内のＤＳＰ２１−１およびアナログ回路２２−１の構成例を示す図である。なお、ＤＳＰ２１−２〜２１−４は、ＤＳＰ２１−１と同様の構成を有している。また、アナログ回路２２−２〜２２−４は、アナログ回路２２−１と同様の構成を有している。
【００４９】
ＤＳＰ２１−１は、ＭＵＸ／ＤＥＭＵＸ２４からの入力データをエンコードするエンコーダ４１と、エンコーダ４１によってエンコードされたデータを変調する変調器４２と、変調器４２によって変調された後のパラレルデータをシリアルデータに変換するＰ／Ｓ（Parallel/Serial）変換器４３と、Ｐ／Ｓ変換器４３から受けたデジタル信号をアナログ信号に変換してアナログ回路２２−１に出力するＤＡＣ（Digital Analog Converter）４４と、アナログ回路２２−１から受けたアナログ信号をデジタル信号に変換するＡＤＣ（Analog Digital Converter）４５と、ＡＤＣ４５から受けたシリアルデータをパラレルデータに変換するＳ／Ｐ（Serial/Parallel）変換器４６と、Ｓ／Ｐ変換器４６から受けたパラレルデータを復調する復調器４７と、復調器４７によって復調されたデータをデコードしてＭＵＸ／ＤＥＭＵＸ２４に出力するデコーダ４８とを含む。
【００５０】
エンコーダ４１は、ＭＵＸ／ＤＥＭＵＸ２４から受けた入力データをエンコードして変調器４２に出力する。
【００５１】
変調器４２は、エンコーダ４１によってエンコードされたデータを高速逆フーリエ変換（ＩＦＦＴ）によってデジタル変調する。このデジタル変調として、たとえば、直交周波数分割多重方式、直接スペクトラム拡散方式などの変調方式が用いられる。そして、変調器４２は、デジタル変調信号をＰ／Ｓ変換器４３に出力する。
【００５２】
Ｐ／Ｓ変換器４３は、変調器４２から受けたパラレルのデジタル信号をシリアルのデジタル信号に変換してＤＡＣ４４に出力する。ＤＡＣ４４は、Ｐ／Ｓ変換器４３から受けたデジタル信号をアナログ信号に変換してアナログ回路２２−１に出力する。
【００５３】
ＡＤＣ４５は、アナログ回路２２−１から受けたアナログ信号をデジタル信号に変換してＳ／Ｐ変換器４６に出力する。Ｓ／Ｐ変換器４６は、ＡＤＣ４５から受けたシリアルのデジタル信号をパラレルのデジタル信号に変換して復調器４７に出力する。
【００５４】
復調器４７は、Ｓ／Ｐ変換器４６から受けたデジタル信号を高速フーリエ変換（ＦＦＴ）によって上記変調方式に対応する復調方式でデジタル復調する。そして、復調器４７は、デジタル復調したデータをデコーダ４８へ出力する。
【００５５】
デコーダ４８は、復調器４７から受けたデータをデコードし、出力データとしてＭＵＸ／ＤＥＭＵＸ２４に出力する。
【００５６】
アナログ回路２２−１は、ドライバ５１と、ハイブリッド回路５２と、低雑音アンプ５３とを含む。
【００５７】
ドライバ５１は、ＤＡＣ４４から受けたアナログ信号を所定のレベルに増幅して、ハイブリッド回路５２に出力する。
【００５８】
ハイブリッド回路５２は、ドライバ５１から受けたアナログ信号を伝送路３１を介して送信側通信装置１へ送信する。また、ハイブリッド回路５２は、送信側通信装置１から伝送路３１を介して受信したアナログ信号を低雑音アンプ５３に出力する。
【００５９】
低雑音アンプ５３は、ハイブリッド回路５２から受けたアナログ信号を所定のレベルに調整してＡＤＣ４５に出力する。
【００６０】
図３は、ＤＳＰ２１−１〜２１−４がプログラムを実行することによって実現される機能的構成を示すブロック図である。ＤＳＰ２１−１は、送信部６１−１と、受信部６２−１とを含む。なお、ＤＳＰ２１−２〜２１−４は、ＤＳＰ２１−１と同様の構成を有している。また、ＤＳＰ２１−１〜２１−４は、伝送路３１〜３４のそれぞれの通信状態などの情報や、受信した制御フレームなどの情報を諸処理用データとしてＣＰＵ２３に通知する。
【００６１】
送信部６１−１は、図２を用いて説明したエンコーダ４１、変調器４２、Ｐ／Ｓ変換器４３およびＤＡＣ４４を制御することによって、ＭＵＸ／ＤＥＭＵＸ１４から受けた送信データをアナログ回路２２−１を介して送信側通信装置１に送信する。
【００６２】
受信部６２−１は、図２を用いて説明したＡＤＣ４５、Ｓ／Ｐ変換器４６、復調器４７およびデコーダ４８を制御することによって、アナログ回路２２−１を介して送信側通信装置１からデータを受信する。このとき、受信部６２−１は、受信速度およびエラー率を検出してＣＰＵ２３に通知する。
【００６３】
図４は、受信部６２−１の処理手順を説明するためのフローチャートである。まず、受信部６２−１は、アナログ回路２２−１を介して送信側通信装置１からのデータ受信処理を行ない（Ｓ１１）、そのときの受信速度を検出し（Ｓ１２）、エラー率を検出する（Ｓ１３）。この受信速度およびエラー率の検出は定期的に行なわれる。このとき、送信側通信装置１は、上流ネットワークを介して受信した同じデータを伝送路３１〜３４のそれぞれを介して受信側通信装置２に送信し、受信部６２−１〜６２−４のそれぞれがデータを受信して、受信速度およびエラー率を検出するものとする。
【００６４】
そして、受信部６２−１は、検出した受信速度およびエラー率をＣＰＵ２３に通知して（Ｓ１４）、処理を終了する。受信部６２−２〜６２−４についても、検出した受信速度およびエラー率をＣＰＵ２３に通知するものとする。
【００６５】
なお、受信速度の検出およびエラー率の検出は定期的にではなく、データ受信のたびに行なってＣＰＵ２３に通知するようにしてもよい。
【００６６】
図５は、ＣＰＵ２３がプログラムを実行することによって実現される機能的構成を示すブロック図である。ＣＰＵ２３は、ＤＳＰ２１−１〜２１−４から受けた諸処理用データを処理する処理部７１と、外部インタフェースを介して入力した指示に応じて判定アルゴリズムを選択する判定アルゴリズム選択部７２と、伝送路３１〜３４のいずれを選択するかを判定する判定部７３とを含む。
【００６７】
処理部７１は、ＤＳＰ２１−１〜２１−４から諸処理用データを受け、たとえば通信不能となっている伝送路があれば、その伝送路の通信処理を行なうＤＳＰの動作を停止させたり、制御用フレームを受けた場合には、その情報に応じた制御処理を行なったりする。また、処理部７１は、判定部７３による判定結果を受け、ＭＵＸ／ＤＥＭＵＸ２４を制御してＤＳＰ２１−１〜２１−４によって受信されたデータのいずれかを選択してＮＩ２５に出力させる。
【００６８】
判定アルゴリズム選択部７２は、外部インタフェースを介して、たとえばユーザからの指示を入力し、その指示に応じて受信速度を重視した判定アルゴリズムを用いるか、エラー率を重視した判定アルゴリズムを用いるかを選択する。
【００６９】
判定部７３は、ＤＳＰ２１−１〜２１−４からそれぞれの伝送路における受信速度およびエラー率を受け、判定アルゴリズム選択部７２による選択に応じてどの伝送路を用いるかの判定を行なって、その判定結果を処理部７１に通知する。
【００７０】
図６は、ＣＰＵ２３の処理手順を説明するためのフローチャートである。まず、判定部７３がＤＳＰ２１−１〜２１−４から受信速度およびエラー率を受けると（Ｓ２１）、判定アルゴリズム選択部７２による選択に応じて、受信速度を重視するか、エラー率を重視するかを判定する（Ｓ２２）。
【００７１】
判定アルゴリズム選択部７２によって受信速度重視が選択された場合には（Ｓ２２，受信速度重視）、判定部７３はＤＳＰ２１−１〜２１−４から受けた受信速度の中で最も受信速度が速い伝送路がいずれであるかを判定し、その判定結果を処理部７１に通知する。処理部７１は、判定部７３から受けた判定結果に応じてＭＵＸ／ＤＥＭＵＸ２４を切替えて（Ｓ２３）、処理を終了する。
【００７２】
また、判定アルゴリズム選択部７２によってエラー率重視が選択された場合には（Ｓ２２，エラー率重視）、判定部７３はＤＳＰ２１−１〜２１−４から受けたエラー率の中で最もエラー率が低い伝送路がいずれであるかを判定し、その判定結果を処理部７１に通知する。処理部７１は、判定部７３から受けた判定結果に応じてＭＵＸ／ＤＥＭＵＸ２４を切替えて（Ｓ２４）、処理を終了する。
【００７３】
なお、受信側通信装置２は選択した伝送路に関する情報を送信側通信装置１に通知し、送信側通信装置１はその伝送路を用いて受信側通信装置２からデータを受信する。これによって、送信側通信装置１と受信側通信装置２とが同じ伝送路を用いてデータの送受信を行なえるようになる。
【００７４】
また、送信側通信装置１および受信側通信装置２のそれぞれにおいて、最も受信速度が速い伝送路または最もエラー率が低い伝送路を選択するようにし、それぞれが別の伝送路を用いて通信を行なうようにしてもよい。
【００７５】
また、無線による伝送路３１は高速通信が可能であるが、外来波や障害物の影響で伝送品質が変化しやすい。したがって、無線による伝送路３１と、有線による伝送路３２〜３４とを組合わせて使用する場合には、たとえば、無線による伝送路３１のエラー率が所定値よりも低い場合には伝送路３１を使用し、無線による伝送路３１のエラー率が所定値よりも高い場合には有線による伝送路３２〜３４のうち最も受信速度が速い伝送路を使用するようにしてもよい。
【００７６】
以上の説明においては、送信側通信装置１が伝送路３１〜３４を介して同じデータを送信し、受信側通信装置２が最も受信速度が速い伝送路または最もエラー率が低い伝送路を選択するようにした。それ以外には、受信側通信装置２は、受信速度とエラー率とを組合わせた条件、たとえば、受信速度が１０Ｍｂｐｓ以上、かつ、エラー率が１０−７以下によって、受信する伝送路を判定してもよい。また、送信側通信装置１内のＣＰＵ１３がＭＵＸ／ＤＥＭＵＸ１４を切替えて上流ネットワークからのデータを適宜ＤＳＰ１１−１〜１１−４に振分け、伝送路３１〜３４のそれぞれにおいて異なるデータが受信側通信装置２に送信されるようにしてもよい。
【００７７】
このように、伝送路３１〜３４のそれぞれを介して異なるデータを送信することにより、受信側通信装置２における見かけ上の受信速度を向上させることができ、最も受信速度が速い伝送路よりも速い速度でデータを受信することができるようになる。
【００７８】
また、送信側通信装置１は、４つの伝送路３１〜３４を介して同じデータを常に送信するとして説明したが、最も受信速度が速い伝送路または最もエラー率が低い伝送路のみを用いてデータを送信し、定期的に４つの伝送路３１〜３４の受信速度およびエラー率を検出して、そのとき最も受信速度が速い伝送路または最もエラー率が低い伝送路に切替えてデータを送信するようにしてもよい。
【００７９】
以上説明したように、本実施の形態における送受信システムによれば、送信側通信装置１が上流ネットワークを介して受信した同じデータを伝送路３１〜３４のそれぞれを介して受信側通信装置２に送信し、受信側通信装置２が最も受信速度が速い伝送路または最もエラー率が低い伝送路を選択するようにしたので、最も伝送特性がよい伝送路を選択して通信を行なうことが可能となった。
【００８０】
また、送信側通信装置１が上流ネットワークからのデータを適宜４つの伝送路３１〜３４に振分け、伝送路３１〜３４を介して異なるデータを受信側通信装置２に送信するようにしたので、受信側通信装置２における見かけ上の受信速度を向上させることが可能となった。
【００８１】
また、送信側通信装置１が、最も受信速度が速い伝送路または最もエラー率が低い伝送路のみを用いてデータを送信し、定期的に４つの伝送路３１〜３４の受信速度およびエラー率を検出して、そのとき最も受信速度が速い伝送路または最もエラー率が低い伝送路に切替えてデータを送信するようにしたので、消費電力を削減しつつ、最も伝送特性がよい伝送路を選択して通信を行なうことが可能となった。
【００８２】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】本発明の実施の形態における送受信システムの概略構成を示すブロック図である。
【図２】本発明の実施の形態における受信側通信装置２内のＤＳＰ２１−１およびアナログ回路２２−１の構成例を示す図である。
【図３】ＤＳＰ２１−１〜２１−４がプログラムを実行することによって実現される機能的構成を示すブロック図である。
【図４】受信部６２−１の処理手順を説明するためのフローチャートである。
【図５】ＣＰＵ２３がプログラムを実行することによって実現される機能的構成を示すブロック図である。
【図６】ＣＰＵ２３の処理手順を説明するためのフローチャートである。
【符号の説明】
【００８４】
１  送信側通信装置、２  受信側通信装置、１１−１〜１１−４，２１−１〜２１−４  ＤＳＰ、１２−１〜１２−４，２２−１〜２２−４  アナログ回路、１３，２３  ＣＰＵ、１４，２４  ＭＵＸ／ＤＥＭＵＸ、１５，２５  ＮＩ、３１〜３４  伝送路、４１  エンコーダ、４２  変調器、４３  Ｐ／Ｓ変換器、４４  ＤＡＣ、４５  ＡＤＣ、４６  Ｓ／Ｐ変換器、４７  復調器、４８  デコーダ、５１  ドライバ、５２  ハイブリッド回路、５３  低雑音アンプ、６１−１〜６１−４  送信部、６２−１〜６２−４  受信部、７１  処理部、７２  判定アルゴリズム選択部、７３  判定部。
【図１】
2008042314.tif 000003
【図２】
2008042314.tif 000004
【図３】
2008042314.tif 000005
【図４】
2008042314.tif 000006
【図５】
2008042314.tif 000007
【図６】
2008042314.tif 000008